(57)【要約】【課題】土壌微生物を用いた生ごみ発酵装置および畜糞肥料化装置、バイオフィールド発生装置、微生物電池、および、微生物コンデンサを提供する。【解決手段】生ごみを発酵させるための生ごみ発酵装置は、生ごみを収容する生ごみ処理槽と、前記生ごみ処理槽と電気的に接続され前記飲食物の乳酸菌発酵を活性化させるバイオフィールド発生装置とを含み、バイオフィールド発生装置は、ＤＣバッテリーと、前記ＤＣバッテリーから直流電源の供給を受け既に設定された周波数の搬送波を生成する周波数発生器と、周波数発生器と電気的に接続された微生物電池と、ＤＣ出力部とを備え、周波数発生器により生成された電磁場と前記微生物電池で生成された電磁場とからなるバイオフィールドを発生させるＤＣモジュール、および、ＡＣ入力部と、ＡＣ入力部と電気的に接続された微生物コンデンサと、微生物コンデンサと電気的に接続されたＡＣ出力部とを備え、ＡＣ入力信号により生成された電磁場と前記微生物コンデンサで生成された電磁場とからなるバイオフィールドを発生させるＡＣモジュールの中のいずれかを含む。【選択図】図１
2018513017.tif 000002
【特許請求の範囲】
【請求項１】
生ごみを発酵させるための生ごみ発酵装置であって、
生ごみを収容する生ごみ処理槽と、および、
前記生ごみ処理槽と電気的に接続され、前記飲食物の乳酸菌発酵を活性化させるバイオフィールド発生装置とを含み、
前記バイオフィールド発生装置は、
ＤＣバッテリーと、前記ＤＣバッテリーから直流電源の供給を受け、既に設定された周波数の搬送波を生成する周波数発生器と、前記周波数発生器と電気的に接続された微生物電池と、ＤＣ出力部とを備え、前記周波数発生器により生成された電磁場と前記微生物電池で生成された電磁場とからなるバイオフィールドを発生させるＤＣモジュール、および、
ＡＣ入力部と、前記ＡＣ入力部と電気的に接続された微生物コンデンサと、前記微生物コンデンサと電気的に接続されたＡＣ出力部とを備え、ＡＣ入力信号により生成された電磁場と前記微生物コンデンサで生成された電磁場とからなるバイオフィールドを発生させるＡＣモジュールの中のいずれかを含むことを特徴とする、土壌微生物を用いた生ごみ発酵装置。
【請求項２】
前記バイオフィールド発生装置は、
前記周波数発生器と前記ＤＣ出力部との間に電気的に接続され、前記周波数発生器の動作に応じて点灯するＬＥＤ表示灯をさらに含むことを特徴とする、請求項１に記載の生ごみ発酵装置。
【請求項３】
前記微生物電池は、
生ごみの乳酸菌発酵のためのラクトバチルス（ｌａｃｔｏｂａｃｉｌｌｕｓ）を含む土壌微生物が含まれた土ペーストが収容される２つのプラスチック容器と、
前記２つのプラスチック容器それぞれに収容された土ペーストに挿入される陰電極および陽電極と、
前記陰電極から発生した電子が陽電極へ移動するように、前記２つのプラスチック容器同士を連結する導線と、および、
前記２つのプラスチック容器に収容された土ペースト中の土壌微生物が呼吸し得るように、前記２つのプラスチック容器それぞれに設けられた空気孔とを含むことを特徴とする、請求項１に記載の生ごみ発酵装置。
【請求項４】
前記土ペーストは、
殺菌された土と、ラクトバチルスを含む培養された土壌微生物とが５：１の重量比で混合された混合物と、塩水とが４：１の重量比で混合されたものであることを特徴とする、請求項３に記載の生ごみ発酵装置。
【請求項５】
前記殺菌された土は、遠赤外線放射物質が含まれたものであることを特徴とする、請求項４に記載の生ごみ発酵装置。
【請求項６】
前記微生物コンデンサは、２枚の金属板同士の間に水分の除去された土壌微生物土ペーストを充填して誘電体として使用したものであることを特徴とする、請求項１に記載の生ごみ発酵装置。
【請求項７】
前記土ペーストは、殺菌された土と、ラクトバチルスを含む培養された土壌微生物とが５：１の重量比で混合された混合物と、塩水とが４：１の重量比で混合されたものであることを特徴とする、請求項６に記載の生ごみ発酵装置。
【請求項８】
前記殺菌された土は、遠赤外線放射物質が含まれたものであることを特徴とする、請求項７に記載の生ごみ発酵装置。
【請求項９】
畜産物の糞尿を肥料として製造するための畜糞肥料化装置であって、
畜産物の糞尿を収容して発酵させる畜糞発酵槽と、および、
前記畜糞発酵槽と電気的に接続され、前記畜産物の糞尿から発生するアンモニアの尿素合成を促進するバイオフィールド発生装置とを含み、
前記バイオフィールド発生装置は、
ＤＣバッテリーと、前記ＤＣバッテリーから直流電源の供給を受け、既に設定された周波数の搬送波を生成する周波数発生器と、前記周波数発生器と電気的に接続された微生物電池と、ＤＣ出力部とを備え、前記周波数発生器により生成された電磁場と前記微生物電池で生成された電磁場とからなるバイオフィールドを発生させるＤＣモジュール、および、
ＡＣ入力部と、前記ＡＣ入力部と電気的に接続された微生物のコンデンサと、前記微生物コンデンサと電気的に接続されたＡＣ出力部とを備え、ＡＣ入力信号により生成された電磁場と前記微生物コンデンサで生成された電磁場とからなるバイオフィールドを発生させるＡＣモジュールの中のいずれかを含むことを特徴とする、土壌微生物を用いた畜糞肥料化装置。
【請求項１０】
前記微生物電池は、
畜産物糞尿の尿素合成のための有用微生物群（Ｅｆｆｅｃｔｉｖｅ  Ｍｉｃｒｏｏｒｇａｎｉｓｍ）を含む土壌微生物が含まれた土ペーストが収容される２つのプラスチック容器と、
前記２つのプラスチック容器それぞれに収容された土ペーストに挿入される陰電極および陽電極と、
前記陰電極から発生した電子が前記陽電極へ移動するように、前記２つのプラスチック容器同士を連結する導線と、および、
前記２つのプラスチック容器に収容された土ペースト中の土壌微生物が呼吸し得るように、前記２つのプラスチック容器それぞれに設けられた空気孔とを含むことを特徴とする、請求項９に記載の畜糞肥料化装置。
【請求項１１】
前記土ペーストは、殺菌された土と、有用微生物群（Ｅｆｆｅｃｔｉｖｅ  Ｍｉｃｒｏｏｒｇａｎｉｓｍ）を含む培養された土壌微生物とが５：１の重量比で混合された混合物と、塩水とが４：１の重量比で混合されたものであることを特徴とする、請求項１０に記載の畜糞肥料化装置。
【請求項１２】
前記殺菌された土は、遠赤外線放射物質が含まれたものであることを特徴とする、請求項１１に記載の畜糞肥料化装置。
【請求項１３】
前記微生物コンデンサは、２枚の金属板同士の間に水分の除去された土壌微生物土ペーストを充填して誘電体として使用したものであることを特徴とする、請求項９に記載の畜糞肥料化装置。
【請求項１４】
前記土ペーストは、殺菌された土と、有用微生物群（Ｅｆｆｅｃｔｉｖｅ  Ｍｉｃｒｏｏｒｇａｎｉｓｍ）を含む培養された土壌微生物とが５：１の重量比で混合された混合物と、塩水とが４：１の重量比で混合された後、水分が１０％以下に除去されたものであることを特徴とする、請求項１３に記載の畜糞肥料化装置。
【請求項１５】
前記殺菌された土は、遠赤外線放射物質が含まれたものであることを特徴とする、請求項１４に記載の畜糞肥料化装置。
【請求項１６】
バイオフィールドを発生させるバイオフィールド発生装置であって、
設定された周波数の搬送波を生成する周波数発生器と、および、
前記周波数発生器と電気的に接続された微生物電池とを含み、
前記微生物電池の出力端で、前記周波数発生器により生成された電磁場と前記微生物電池で生成された電磁場とからなるバイオフィールドを発生させることを特徴とする、バイオフィールド発生装置。
【請求項１７】
前記微生物電池は、
土壌微生物の含まれた土ペーストが収容される２つのプラスチック容器と、
前記２つのプラスチック容器それぞれに収容された土ペーストに挿入される陰電極および陽電極と、
前記陰電極から発生した電子が前記陽電極へ移動するように、前記２つのプラスチック容器同士を連結する導線と、および、
前記２つのプラスチック容器に収容された土ペースト中の土壌微生物が呼吸し得るように、前記２つのプラスチック容器それぞれに設けられた空気孔とを含むことを特徴とする、請求項１６に記載のバイオフィールド発生装置。
【請求項１８】
前記土ペーストは、８０〜１００℃で３時間殺菌された土と、培養された土壌微生物とが５：１の重量比で混合された混合物と、濃度３％の塩水とが４：１の重量比で混合されたものであることを特徴とする、請求項１７に記載のバイオフィールド発生装置。
【請求項１９】
前記殺菌された土は、遠赤外線放射物質が含まれた土であることを特徴とする、請求項１８に記載のバイオフィールド発生装置。
【請求項２０】
前記周波数発生器に電気的に接続され、前記周波数発生器の動作に応じて点灯するＬＥＤ表示灯をさらに含むことを特徴とする、請求項１６に記載のバイオフィールド発生装置。
【請求項２１】
バイオフィールドを発生させるバイオフィールド発生装置であって、
ＡＣ入力部と、および、
前記ＡＣ入力部と電気的に接続された微生物コンデンサとを含み、
前記微生物コンデンサは、２枚の金属板同士の間に水分の除去された土壌微生物土ペーストを充填して誘電体として使用したものであり、
前記ＡＣ入力部を介して提供されるＡＣ入力信号が前記２枚の金属板同士の間に印加され、前記２枚の金属板同士の間でＡＣ入力信号により生成された電磁場と前記微生物コンデンサで生成された電磁場からなるバイオフィールドを発生させることを特徴とする、バイオフィールド発生装置。
【請求項２２】
前記土ペーストは、８０〜１００℃で３時間殺菌された土と、培養された土壌微生物とが５：１の重量比で混合された混合物と、濃度３％の塩水とが４：１の重量比で混合された後、水分が１０％以下に除去されたものであることを特徴とする、請求項２１に記載のバイオフィールド発生装置。
【請求項２３】
前記殺菌された土は、遠赤外線放射物質が含まれた土であることを特徴とする、請求項２２に記載のバイオフィールド発生装置。
【請求項２４】
土壌微生物の含有された土ペーストが収容される２つのプラスチック容器と、
前記２つのプラスチック容器それぞれに収容された土ペーストに挿入される陰電極および陽電極と、
前記陰電極から発生した電子が前記陽電極へ移動するように、前記２つのプラスチック容器同士を連結する導線と、および、
前記２つのプラスチック容器に収容された土ペースト中の土壌微生物が呼吸し得るように、前記２つのプラスチック容器それぞれに設けられた空気孔とを含むことを特徴とする、 微生物電池。
【請求項２５】
前記土ペーストは、８０〜１００℃で３時間殺菌された土と、培養された土壌微生物とが５：１の重量比で混合された混合物と、濃度３％の塩水とが４：１の重量比で混合されたものであることを特徴とする、請求項２４に記載の微生物電池。
【請求項２６】
前記殺菌された土は、遠赤外線放射物質が含まれた土であることを特徴とする、請求項２５に記載の微生物電池。
【請求項２７】
２枚の金属板同士の間に充填された誘電体を有するコンデンサであって、
前記誘電体は、水分の除去された土壌微生物が混合された土ペーストであり、前記２枚の金属板同士の間で前記土壌微生物により発生したバイオフィールドを出力することを特徴とする、微生物コンデンサ。
【請求項２８】
前記土ペーストは、８０〜１００℃で３時間殺菌された土と、培養された土壌微生物とが５：１の重量比で混合された混合物と、濃度３％の塩水とが４：１の重量比で混合された後、水分が１０％以下に除去されたものであることを特徴とする、請求項２７に記載の微生物コンデンサ。
【発明の詳細な説明】
【技術分野】
【０００１】
本発明は、土壌微生物によって発生する微弱電磁場を利用する土壌微生物を用いた生ごみ発酵装置および畜糞肥料化装置、これに適したバイオフィールド発生装置、これに適した微生物電池、および、これに適した微生物コンデンサに関する。
【背景技術】
【０００２】
各家庭や官公庁から排出される生ごみは、その量が夥しいものであって、国家経済面または環境汚染面において非常に深刻な状況にある。
【０００３】
このような深刻な状況を打開するために、多くの宣伝と教育を行っているが、依然として生ごみの放出は社会問題の一つである。
【０００４】
したがって、このように捨てられる生ごみをリサイクルすることにより、経済面および環境改善面において多くの利点を確保するために多角的に多くの研究が進められており、そのような研究の一環として、生ごみを乾燥および一定の方法で再処理して肥料または飼料として使用する方法が台頭している。
【０００５】
このような生ごみを肥料または飼料としてリサイクルするための従来の発酵乾燥装置は、発酵乾燥槽、撹拌装置、熱風発生装置および熱風噴射装置を備える。
【０００６】
発酵乾燥槽は、上部に配置された生ごみ投入口、給気口、排気口、および下部に配置された乾燥処理物搬出口を有する。
【０００７】
攪拌装置は、前記発酵乾燥槽内の下部に水平方向における左右方向に設置された回転軸と、該回転軸にアーム（ａｒｍ）を用いて設置され、回転の際に前記生ごみが左右方向の中央部に集まるように左右に逆方向の配置されたリボン状の攪拌羽根とを有し、投入された前記生ごみを撹拌混合する。
【０００８】
熱風発生装置は、前記発酵乾燥槽内の上部に熱風を供給する。
【０００９】
熱風噴射装置は、前記発酵乾燥槽内における前記熱風の排出口と前記攪拌装置との間で前記攪拌装置の回転軸に対して平行に延在するとともに下方に開口した隙間状の噴射口を有し、前記熱風発生装置からの熱風によって昇温した槽内空気を前記生ごみに噴射する。
【００１０】
しかし、このような従来の発酵乾燥装置は、その内部温度を一定に維持させ難い構成により、均一な温度を維持させることができないことにより、微生物による生ごみの分解がうまく行われないという問題点がある。
【００１１】
それだけではなく、処理された生ごみの悪臭を除去することが可能な装置がないため、肥料または飼料として製造される場合には悪臭などが残っており、肥料または飼料としての使用に適さないという問題点がある。
【発明の概要】
【発明が解決しようとする課題】
【００１２】
本発明は、前述したような要求に応えるために案出されたもので、従来技術での限界および欠点により発生する様々な問題点を実質的に補完することができる、土壌微生物を用いた生ごみ発酵装置および畜糞肥料化装置を提供することを全体的な目的とする。
【００１３】
本発明のより具体的な他の目的は、生ごみの乳酸菌発酵を活性化させ、腐敗することなく発酵するようにすることにより、悪臭問題を解決することができる、土壌微生物を用いた生ごみ発酵装置を提供することにある。
【００１４】
本発明のより具体的な別の目的は、畜糞肥料の悪臭を軽減し、腐熟度を高めることができる、土壌微生物を用いた畜糞肥料化装置を提供することにある。
【００１５】
本発明の別の目的は、前記生ごみ発酵装置および畜糞肥料化装置に適したバイオフィールド発生装置を提供することにある。
【００１６】
本発明の別の目的は、前記生ごみ発酵装置および畜糞肥料化装置に適した微生物電池を提供することにある。
【００１７】
本発明の別の目的は、前記生ごみ発酵装置および畜糞肥料化装置に適した微生物コンデンサを提供することにある。
【課題を解決するための手段】
【００１８】
上記目的を達成するための本発明に係る生ごみ発酵装置は、
生ごみを発酵させるための生ごみ発酵装置であって、
生ごみを収容する生ごみ処理槽と、および、
前記生ごみ処理槽と電気的に接続され、前記飲食物の乳酸菌発酵を活性化させるバイオフィールド発生装置とを含み、
前記バイオフィールド発生装置は、
ＤＣバッテリーと、前記ＤＣバッテリーから直流電源の供給を受け、既に設定された周波数の搬送波を生成する周波数発生器と、前記周波数発生器と電気的に接続された微生物電池と、ＤＣ出力部とを備え、前記周波数発生器により生成された電磁場と前記微生物電池で生成された電磁場とからなるバイオフィールドを発生させるＤＣモジュール、および、
ＡＣ入力部と、前記ＡＣ入力部と電気的に接続された微生物コンデンサと、前記微生物コンデンサと電気的に接続されたＡＣ出力部とを備え、ＡＣ入力信号により生成された電磁場と前記微生物コンデンサで生成された電磁場とからなるバイオフィールドを発生させるＡＣモジュールの中のいずれかを含む、ことを特徴とする。
【００１９】
前記バイオフィールド発生装置は、前記周波数発生器と前記ＤＣ出力部との間に電気的に接続され、前記周波数発生器の動作に応じて点灯するＬＥＤ表示灯をさらに含むことを特徴とする。
【００２０】
前記微生物電池は、
生ごみの乳酸菌発酵のためのラクトバチルス（ｌａｃｔｏｂａｃｉｌｌｕｓ）を含む土壌微生物が含まれた土ペーストが収容される２つのプラスチック容器と、
前記２つのプラスチック容器それぞれに収容された土ペーストに挿入される陰電極および陽電極と、
前記陰電極から発生した電子が陽電極へ移動するように、前記２つのプラスチック容器同士を連結する導線と、および、
前記２つのプラスチック容器に収容された土ペースト中の土壌微生物が呼吸し得るように、前記２つのプラスチック容器それぞれに設けられた空気孔とを含むことを特徴とする。
【００２１】
前記土ペーストは、殺菌された土と、ラクトバチルスを含む培養された土壌微生物とが５：１の重量比で混合された混合物と、塩水とが４：１の重量比で混合されたものであることを特徴とする。
【００２２】
前記殺菌された土は遠赤外線放射物質が含まれたものであることを特徴とする。
【００２３】
前記微生物コンデンサは、２枚の金属板同士の間に水分の除去された土壌微生物土ペーストを充填して誘電体として使用したものであることを特徴とする。
【００２４】
前記土ペーストは、殺菌された土と、ラクトバチルスを含む培養された土壌微生物とが５：１の重量比で混合された混合物と、塩水とが４：１の重量比で混合されたものであることを特徴とする。
【００２５】
前記殺菌された土は、遠赤外線放射物質が含まれたものであることを特徴とする。
【００２６】
上記他の目的を達成するための本発明に係る畜糞肥料化装置は、
畜産物の糞尿を肥料として製造するための畜糞肥料化装置であって、
畜産物の糞尿を収容して発酵させる畜糞発酵槽と、および、
前記畜糞発酵槽と電気的に接続され、前記畜産物の糞尿から発生するアンモニアの尿素合成を促進するバイオフィールド発生装置とを含み、
前記バイオフィールド発生装置は、
ＤＣバッテリーと、前記ＤＣバッテリーから直流電源の供給を受け、既に設定された周波数の搬送波を生成する周波数発生器と、前記周波数発生器と電気的に接続された微生物電池と、ＤＣ出力部とを備え、前記周波数発生器により生成された電磁場と前記微生物電池で生成された電磁場とからなるバイオフィールドを発生させるＤＣモジュール、および、
ＡＣ入力部と、前記ＡＣ入力部と電気的に接続された微生物コンデンサと、前記微生物コンデンサと電気的に接続されたＡＣ出力部とを備え、ＡＣ入力信号により生成された電磁場と前記微生物コンデンサで生成された電磁場とからなるバイオフィールドを発生させるＡＣモジュールの中のいずれかを含むことを特徴とする。
【００２７】
前記微生物電池は、
畜産物糞尿の尿素合成のための有用微生物群（Ｅｆｆｅｃｔｉｖｅ  Ｍｉｃｒｏｏｒｇａｎｉｓｍ）を含む土壌微生物が含まれた土ペーストが収容される２つのプラスチック容器と、
前記２つのプラスチック容器それぞれに収容された土ペーストに挿入される陰電極および陽電極と、
前記陰電極から発生した電子が前記陽電極へ移動するように、前記２つのプラスチック容器同士を連結する導線と、および、
前記２つのプラスチック容器に収容された土ペースト中の土壌微生物が呼吸し得るように、前記２つのプラスチック容器それぞれに設けられた空気孔とを含むことを特徴とする。
【００２８】
前記土ペーストは、殺菌された土と、有用微生物群（Ｅｆｆｅｃｔｉｖｅ  Ｍｉｃｒｏｏｒｇａｎｉｓｍ）を含む培養された土壌微生物とが５：１の重量比で混合された混合物と、塩水とが４：１の重量比で混合されたものであることを特徴とする。
【００２９】
前記殺菌された土は、遠赤外線放射物質が含まれたものであることを特徴とする。
【００３０】
前記微生物コンデンサは、２枚の金属板同士の間に水分の除去された土壌微生物土ペーストを充填して誘電体として使用したものであることを特徴とする。
【００３１】
前記土ペーストは、殺菌された土と、有用微生物群（Ｅｆｆｅｃｔｉｖｅ  Ｍｉｃｒｏｏｒｇａｎｉｓｍ）を含む培養された土壌微生物とが５：１の重量比で混合された混合物と、塩水とが４：１の重量比で混合された後、水分が１０％以下に除去されたものであることを特徴とする。
【００３２】
前記殺菌された土は、遠赤外線放射物質が含まれたものであることを特徴とする。
【００３３】
上記別の目的を達成するための本発明に係るバイオフィールド発生装置の一実施例は、
バイオフィールドを発生させるバイオフィールド発生装置であって、
設定された周波数の搬送波を生成する周波数発生器と、および、
前記周波数発生器と電気的に接続された微生物電池とを含み、
前記微生物電池の出力端で、前記周波数発生器により生成された電磁場と前記微生物電池で生成された電磁場とからなるバイオフィールドを発生させることを特徴とする。
【００３４】
前記微生物電池は、
土壌微生物が含まれた土ペーストが収容される２つのプラスチック容器と、
前記２つのプラスチック容器それぞれに収容された土ペーストに挿入される陰電極および陽電極と、および、
前記陰電極から発生した電子が前記陽電極へ移動するように、前記２つのプラスチック容器同士を連結する導線と、
前記２つのプラスチック容器に収容された土ペースト中の土壌微生物が呼吸し得るように、前記２つのプラスチック容器それぞれに設けられた空気孔とを含むことを特徴とする。
【００３５】
前記土ペーストは、８０〜１００℃で３時間殺菌された土と、培養された土壌微生物とが５：１の重量比で混合された混合物と、濃度３％の塩水とが４：１の重量比で混合されたものであることを特徴とする。
【００３６】
前記殺菌された土は、遠赤外線放射物質が含まれた土であることを特徴とする。
【００３７】
前記周波数発生器に電気的に接続され、前記周波数発生器の動作に応じて点灯するＬＥＤ表示灯をさらに含むことを特徴とする。
【００３８】
上記別の目的を達成するための本発明に係るバイオフィールド発生装置の他の実施例は、
バイオフィールドを発生させるバイオフィールド発生装置であって、
ＡＣ入力部と、および、
前記ＡＣ入力部に電気的に接続された微生物コンデンサとを含み、
前記微生物コンデンサは、２枚の金属板同士の間に水分の除去された土壌微生物土ペーストを充填して誘電体として使用したものであり、
前記ＡＣ入力部を介して提供されるＡＣ入力信号が前記２枚の金属板同士の間に印加され、前記２枚の金属板同士の間でＡＣ入力信号により生成された電磁場と前記微生物コンデンサで生成された電磁場からなるバイオフィールドを発生させることを特徴とする。
【００３９】
前記土ペーストは８０〜１００℃で３時間殺菌された土と、培養された土壌微生物とが５：１の重量比で混合された混合物と、濃度３％の塩水とが４：１の重量比で混合された後、水分が１０％以下に除去されたものであることを特徴とする。
【００４０】
前記殺菌された土は、遠赤外線放射物質が含まれた土であることを特徴とする。
【００４１】
上記別の目的を達成するための本発明に係る微生物電池は、
土壌微生物の含有された土ペーストが収容される２つのプラスチック容器と、
前記２つのプラスチック容器それぞれに収容された土ペーストに挿入される陰電極および陽電極と、
前記陰電極から発生した電子が前記陽電極へ移動するように、前記２つのプラスチック容器同士を連結する導線と、および、
前記２つのプラスチック容器に収容された土ペースト中の土壌微生物が呼吸し得るように、前記２つのプラスチック容器それぞれに設けられた空気孔とを含むことを特徴とする。
【００４２】
ここで、前記土ペーストは、８０〜１００℃で３時間殺菌された土と、培養された土壌微生物とが５：１の重量比で混合された混合物と、濃度３％の塩水とが４：１の重量比で混合されたものであることを特徴とする。ここで、前記殺菌された土は、遠赤外線放射物質が含まれた土であることを特徴とする。
【００４３】
上記別の目的を達成するための本発明に係る微生物コンデンサは、
２枚の金属板同士の間に充填された誘電体を有するコンデンサであって、
前記誘電体は、水分の除去された土壌微生物が混合された土ペーストであり、前記２枚の金属板同士の間で前記土壌微生物により発生したバイオフィールドを出力することを特徴とする。
【００４４】
ここで、前記土ペーストは、８０〜１００℃で３時間殺菌された土と、培養された土壌微生物とが５：１の重量比で混合された混合物と、濃度３％の塩水とが４：１の重量比で混合された後、水分が１０％以下に除去されたものであることを特徴とする。
【発明の効果】
【００４５】
本発明に係る土壌微生物を用いた生ごみ発酵装置によれば、飲食物の乳酸菌発酵を活性化させて、腐敗することなく発酵が起こるようにするので、悪臭問題を解決することができる。
【００４６】
また、本発明に係る土壌微生物を用いた畜糞肥料化装置によれば、畜糞から発生するアンモニアを尿素に合成する化学反応でバイオフィールドが触媒作用をして、畜糞による悪臭は減少し且つ肥料の効果は高まるという効果を得ることができる。
【００４７】
また、本発明に係るバイオフィールド発生装置は、生ごみ発酵装置、畜糞肥料化装置だけでなく、農・水産副産物、屠殺工場副産物、食品工場副産物などの有機性廃棄物の堆肥化過程、食品保存装置、植物生育促進装置などの様々な分野に適用され、悪臭の減少、食品の鮮度保持、生育促進などの効果を得ることができる。
【図面の簡単な説明】
【００４８】
【図１】本発明の一実施例に係る土壌微生物を用いたバイオフィールド発生装置の構成を示す回路図である。
【図２】本発明の一実施例に係る土壌微生物を用いたバイオフィールド発生装置の構成を示す実物写真であって、図２の（ａ）は正面図、図２の（ｂ）は背面図である。
【図３】本発明の一実施例に係る微生物電池の構成を示す図である。
【図４】本発明の一実施例に係る微生物電池の構成を示す図である。
【図５】本発明の一実施例に係る微生物電池の構成を示す図である。
【図６】本発明の一実施例に係る微生物コンデンサの構成を示す図である。
【図７】本発明の一実施例に係る微生物コンデンサの構成を示す図である。
【図８】本発明の一実施例に係る生ごみ発酵装置の構成を概略的に示すブロック図である。
【図９】本発明の一実施例に係るバイオフィールドによる処理前後の食物腐敗試験の結果を示す図である。
【図１０】本発明の一実施例に係る畜糞肥料化装置の構成を概略的に示すブロック図である。
【図１１】本発明の一実施例に係るバイオフィールド発生装置が設置された畜糞攪拌室（発酵槽）の実物写真である。
【図１２】堆肥腐熟試験結果を示す図である。
【図１３】本発明の一実施例に係るバイオフィールド発生装置を適用した対象物と適用していない対象物との状態を比較した実験結果を示す。
【図１４】本発明の一実施例に係るバイオフィールド発生装置を適用した対象物と適用していない対象物との状態を比較した実験結果を示す。
【発明を実施するための形態】
【００４９】
図１および図２は本発明の一実施例に係る土壌微生物を用いたバイオフィールド発生装置の構成を示す図であって、図１は回路図、図２の（ａ）は正面図、図２の（ｂ）は背面図である。
【００５０】
図１乃至図２を参照すると、本実施例に係る土壌微生物を用いたバイオフィールド発生装置１は、ＤＣモジュール１００或いはＡＣモジュール２００である。
【００５１】
前記ＤＣモジュール１００は、直流電源を用いてバイオフィールドを発生させるためのものであって、ＤＣバッテリー１０１、周波数発生器１０２、微生物電池１０３、ＬＥＤ表示灯１０４、ＤＣ出力部１０５およびバッテリー充電部１０６を含むことができる。
【００５２】
前記ＤＣバッテリー１０１は、例えば６Ｖバッテリーであって、周波数発生器１０２に直流電源を供給する。
【００５３】
前記周波数発生器１０２は、既に設定された周波数の搬送波を生成して微生物電池１０３へ提供する。周波数発生器１０２の搬送波周波数は８〜１５００Ｈｚまで調整可能である。周波数発生器１０２は、選択された微生物に応じて周波数を調整して最適な周波数を探して作動する。選定された周波数は発酵速度に影響を及ぼす。
【００５４】
前記微生物電池１０３は、土壌微生物による微弱電磁場を発生させるためのものである。微生物電池１０３は、目的とする効果を持つ土壌微生物を用いて製造されたものである。
【００５５】
周波数発生器１０２で発生した搬送波が微生物電池１０３を通るとき、微生物の増殖作用により発生するバイオフィールドが搬送波に乗せられて出てくる。すなわち、微生物電池１０３から発生するバイオフィールドは増幅用トランジスタのエミッタの役割を果たす。
【００５６】
微生物電池１０３に含まれている土壌微生物は、ＤＮＡから出てくる固有のバイオフォトンを放出し、その微生物の特性が込められたバイオフィールドを生成する。このようなバイオフィールドを発生する本発明のバイオフィールド発生装置１を利用して任意の空間にバイオフィールドを形成すると、土壌微生物が持っている特性がそのバイオフィールドに現れる。このような微生物電池１０３の具体的な構成および製造方法については後述する。
【００５７】
前記ＬＥＤ表示灯１０４は、周波数発生器１０２の動作に応じて点灯し、これにより周波数発生器１０２の動作有無を肉眼で確認することができる。
【００５８】
前記ＤＣ出力部１０５は、ＤＣモジュール１００の出力端子であって、直流電源により形成されたバイオフィールドを出力する。
【００５９】
前記バッテリー充電部１０６は前記ＤＣバッテリー１０１を充電するためのものである。
【００６０】
一方、前記ＡＣモジュール２００は、交流電源を用いてバイオフィールドを発生させるためのものであって、ＡＣ入力部２０１、ヒューズ２０２、ＡＣスイッチ２０３、微生物コンデンサ２０４およびＡＣ出力部２０５を含むことができる。
【００６１】
前記ＡＣ入力部２０１は外部の交流（ＡＣ）電源供給部と電気的に接続される部分であり、ヒューズ２０２は短絡保護用ヒューズであり、ＡＣスイッチ２０３はＡＣ電源の供給をオン（ＯＮ）／オフ（ＯＦＦ）することが可能なスイッチである。
【００６２】
所定の周波数を有するＡＣ信号が微生物コンデンサ２０４を通るとき、微生物の増殖作用により発生するバイオフィールドがＡＣ信号に乗せられて出てくる。ＡＣ出力部２０５から出力される信号は、５０〜６０ＨｚのＡＣ信号と、微生物コンデンサ２０４で発生するバイオフィールドとからなる信号になる。
【００６３】
前記微生物コンデンサ２０４は、２枚の金属板同士の間に水分の除去された土壌微生物土ペーストを充填して誘電体として使用することにより、コンデンサを構成するようにしたものである。このような微生物コンデンサ２０４は、電荷を蓄積し、直流電流を遮断して交流電流のみ流れるようにすることにより、交流電源を用いてバイオフィールドを形成することができる。
【００６４】
このような微生物コンデンサ２０４の具体的な構成および製造方法については後述する。
【００６５】
前記ＡＣ出力部２０５は、ＡＣモジュール２００の出力端子であって、交流電源により形成されたバイオフィールド出力端子である。
【実施例】
【００６６】
以下、添付図面を参照して本発明の実施例を詳細に説明する。
【００６７】
本発明を説明するにあたり、関連する公知の機能あるいは構成についての具体的な説明が本発明の要旨を無駄に曖昧にするおそれがあると判断された場合、その詳細な説明は省略する。また、後述する用語は、本発明における機能を考慮して定義された用語であって、これはユーザー、運用者の意図または判例などによって異なり得る。よって、その定義は本明細書全般にわたった内容に基づいて下されるべきである。
【００６８】
バイオフィールド（Ｂｉｏｆｉｅｌｄ）とは、生命体の周りに発生する微弱電磁場であり、この微弱電磁場は、生命体のＤＮＡ（ＤｅｏｘｙｒｉｂｏＮｕｃｌｅｉｃ  Ａｃｉｄ）から放出されるバイオフォトン（ｂｉｏｐｈｏｔｏｎ）に起因する。
【００６９】
バイオフォトンとは、生きている細胞が伝統的な生体発光とは区別される方式で放出する可視光線或いは紫外線の光子とをいう。すべての生命体は固有のＤＮＡを持っており、ＤＮＡは固有のバイオフォトンを放出している。
【００７０】
無機物質の元素が相互反応して、生命を持つ有機物質として生成される過程で必ずあるべきエネルギー場がバイオフィールドである。
【００７１】
微生物である酵母菌がリンゴ汁、小麦粉、砂糖などの栄養物質を分解合成して酵母を生産する過程を実例から考察すると、酵母（ｙｅａｓｔ）の主要成分はタンパク質、アミノ酸、ビタミンなどから構成されており、これらの物質の元素成分はＣ、Ｈ、Ｏ、Ｎなどである。
【００７２】
酵母菌が栄養物質中にあるＣ、Ｈ、Ｏ、Ｎなどからタンパク質、アミノ酸、ビタミンなどを合成して、生命を持つ酵母を作る過程の中で、第一に、化学反応条件を考慮すると、精巧な中央制御コマンドの情報なしでは、栄養物質中にあるＣ、Ｈ、Ｏ、Ｎが自然にタンパク質、アミノ酸、ビタミンなどに合成できず、第二に、熱力学的な条件を考慮すると、無秩序な状態のＣ、Ｈ、Ｏ、Ｎが、秩序を持ったタンパク質、アミノ酸、ビタミンなどに合成されるためにはエントロピーを下げなければならず、エントロピーを下げるためには必ずエネルギーを投入しなければならない。
【００７３】
したがって、生命体が作られる過程で必ずあるべきものが、中央制御コマンドの情報とエネルギーであるが、これらの二つの条件を満足させるエネルギー場がバイオフィールドである。
【００７４】
すべての生命体は固有のＤＮＡを持っており、ＤＮＡは固有のバイオフォトンを放出し、このバイオフォトンは固有のバイオフィールドを作って各生命体の特性を作り出す。
【００７５】
本発明では、土壌微生物をバイオフィールド発生装置に活用するが、その理由は、生命を活性化するバイオフィールドが土と土壌微生物との相互作用で起こるとみなすためである。
【００７６】
土壌中に存在する三大微生物は糸状菌（ｍｏｌｄ）、放線菌（ａｃｔｉｎｏｍｙｃｅｓ）、細菌（ｂａｃｔｅｒｉａ）などである。糸状菌類に属するアスペルギルス（ａｓｐｅｒｇｉｌｌｕｓ）は、免疫増進と生育促進に効果を示し、トリコデルマ（ｔｒｉｃｈｏｄｅｒｍａ）は病院菌体を破壊する効果があり、イースト（ｙｅａｓｔ）はパンと酒の発酵を起こす効能がある。
【００７７】
放線菌類には、抗生物質を分泌するストレプトマイセス（ｓｔｒｅｐｔｏｍｙｃｅｓ）や、アミロースとセルロースを分解するセルロモナス（ｃｅｌｌｕｌｏｍｏｎａｓ）などがある。細菌類には、デンプンタンパク質を分解する酵素を生産し且つ病虫害を抑制するバチルス（ｂａｃｉｌｌｕｓ）や、有機物を分解するシュードモナス菌（ｐｓｅｕｄｏｍｏｎａｓ）、光合成作用を促進する光合成細菌（ｐｈｏｔｏｓｙｎｔｈｅｔｉｃ  ｂａｃｔｅｒｉａ）、キムチおよび牛乳を発酵させ且つ生理活性物質、抗癌物質、抗菌物質を分泌するラクトバチルス（ｌａｃｔｏｂａｃｉｌｌｕｓ）などがある。
【００７８】
このように土壌に含まれている微生物は、生命活動に欠かせない必要不可欠なものであり、よって、生命活動に必要なエネルギー場であるバイオフィールドを土壌微生物から得ようとしたのである。
【００７９】
微生物が土壌中でバイオフィールドを生成する原理は、次のとおり説明できる。
【００８０】
すべての生命体はバイオフォトン（ｂｉｏｐｈｏｔｏｎ）を放出し、このバイオフォトンはＤＮＡから発生するものであって、一種の微細な電磁波を形成し、微生物が増殖過程を経る間に継続的に微細なエネルギー波動が放出される。
【００８１】
土壌微生物の培養過程中に発生する酸化反応と還元反応で電子供与および電子受容過程により電子の流れ、すなわち電流が発生するおそれがある。このとき、培養容器中にイオン化傾向の異なる二つの電極を植え込み、導線で両電極を連結すると、電位差により連続的な電流を得ることができる。
【００８２】
この電流は、微生物のＤＮＡから放出したバイオフォトンが作った微細な電磁波を乗せており、この電流を昇圧して送電することにより、微生物が作った微弱電磁場、すなわちバイオフィールドを調整可能な電磁波で再現することができる。再現されたエネルギー場には、使用された微生物の効能および特徴が現れる。
【００８３】
図１および図２は本発明の一実施例に係る土壌微生物を用いたバイオフィールド発生装置の構成を示す図であって、図１は回路図、図２の（ａ）は正面図、図２の（ｂ）は背面図である。
【００８４】
図１乃至図２を参照すると、本実施例に係る土壌微生物を用いたバイオフィールド発生装置１は、ＤＣモジュール１００或いはＡＣモジュール２００である。
【００８５】
前記ＤＣモジュール１００は、直流電源を用いてバイオフィールドを発生させるためのものであって、ＤＣバッテリー１０１、周波数発生器１０２、微生物電池１０３、ＬＥＤ表示灯１０４、ＤＣ出力部１０５、およびバッテリー充電部１０６を含むことができる。
【００８６】
前記ＤＣバッテリー１０１は、例えば６Ｖバッテリーであって、周波数発生器１０２に直流電源を供給する。
【００８７】
前記周波数発生器１０２は、既に設定された周波数の搬送波を生成して微生物電池１０３へ提供する。周波数発生器１０２の搬送波周波数は８〜１５００Ｈｚまで調整可能である。周波数発生器１０２は、選択された微生物に応じて周波数を調整して最適な周波数を探して作動する。選定された周波数は発酵速度に影響を及ぼす。
【００８８】
前記微生物電池１０３は、土壌微生物による微弱電磁場を発生させるためのものである。微生物電池１０３は、目的とする効果を持つ土壌微生物を用いて製造されたものである。
【００８９】
周波数発生器１０２で発生した搬送波が微生物電池１０３を通るとき、微生物の増殖作用により発生するバイオフィールドが搬送波に乗せられて出てくる。すなわち、微生物電池１０３で発生するバイオフィールドは、増幅用トランジスタのエミッタの役割を果たす。
【００９０】
微生物電池１０３に含まれている土壌微生物は、ＤＮＡから出てくる固有のバイオフォトンを放出して、その微生物の特性が込められたバイオフィールドを生成する。このようなバイオフィールドを発生する本発明のバイオフィールド発生装置１を用いて任意の空間にバイオフィールドを形成すると、土壌微生物の持っている特性がそのバイオフィールドに現れる。このような微生物電池１０３の具体的な構成および製造方法については後述する。
【００９１】
前記ＬＥＤ表示灯１０４は、周波数発生器１０２の動作に応じて点灯し、これにより周波数発生器１０２の動作有無を肉眼で確認することができる。
【００９２】
前記ＤＣ出力部１０５は、ＤＣモジュール１００の出力端子であって、直流電源により形成されたバイオフィールドを出力する。
【００９３】
前記バッテリー充電部１０６は前記ＤＣバッテリー１０１を充電するためのものである。
【００９４】
一方、前記ＡＣモジュール２００は、交流電源を用いてバイオフィールドを発生させるためのものであって、ＡＣ入力部２０１、ヒューズ２０２、ＡＣスイッチ２０３、微生物コンデンサ２０４およびＡＣ出力部２０５を含むことができる。
【００９５】
前記ＡＣ入力部２０１は外部の交流（ＡＣ）電源供給部と電気的に接続される部分であり、ヒューズ２０２は短絡保護用ヒューズであり、ＡＣスイッチ２０３はＡＣ電源の供給をオン（ＯＮ）／オフ（ＯＦＦ）することが可能なスイッチである。
【００９６】
所定の周波数を有するＡＣ信号が微生物コンデンサ２０４を通るとき、微生物の増殖作用により発生するバイオフィールドがＡＣ信号に乗せられて出てくる。ＡＣ出力部２０５から出力される信号は、５０〜６０ＨｚのＡＣ信号と、微生物コンデンサ２０４で発生するバイオフィールドとからなる信号になる。
【００９７】
前記微生物コンデンサ２０４は、２枚の金属板同士の間に水分の除去された土壌微生物土ペーストを充填して誘電体として使用することにより、コンデンサを構成するようにしたものである。このような微生物コンデンサ２０４は、電荷を蓄積し、直流電流を遮断して交流電流のみ流れるようにすることにより、交流電源を用いてバイオフィールドを形成することができる。
【００９８】
このような微生物コンデンサ２０４の具体的な構成および製造方法については後述する。
前記ＡＣ出力部２０５は、ＡＣモジュール２００の出力端子であって、交流電源によって形成されたバイオフィールド出力端子である。
【００９９】
図３乃至図５は本発明の一実施例に係る微生物電池１０３の構成を示すものであって、図３は回路図、図４および図５は実物写真である。その構成および製造方法は次のとおりである。
【０１００】
１．土壌微生物の含有された土ペーストの準備
選別された土壌を８０〜１００℃で３時間程度殺菌し、目的とする効果を持つ土壌微生物を培養した後、培養された土壌微生物と土とを１：５（培養された土壌微生物：土＝１：５の重量比で混合した後、この混合物と塩水（例えば、濃度３％の塩水）とを４：１（混合物：塩水＝４：１）の重量比で混合して土ペーストを作る。
【０１０１】
ここで、目的とする効果を持つ土壌微生物とは、生ごみ処理、畜糞肥料製造、植物成長促進などの使用目的に適した土壌微生物を意味するものである。
【０１０２】
具体的に、例えば、生ごみ処理には、乳酸菌発酵を活性化させて、飲食物が腐敗することなく発酵するようにするラクトバチルス（Ｌａｔｏｂａｃｉｌｌｕｓ）が適し、植物成長促進には光合成細菌が適し、畜糞肥料製造時にはＥＭ（Ｅｆｆｅｃｔｉｖｅ  Ｍｉｃｒｏｏｒｇａｎｉｓｍ）微生物が適する。
【０１０３】
ＥＭ微生物は有用微生物群の略字であって、自然界に存在する多くの微生物のうち、人に有用な微生物数十種を組み合わせて培養したものである。酵母、乳酸菌および光合成細菌が、ＥＭを構成している主要な菌種であり、これらの菌間の複雑な共存共栄の関係が生み出す発酵生成物の抗酸化力がＥＭの効果であるといえる。
【０１０４】
また、選別された土は、遠赤外線放射物質が含まれている土であって、例えば、黄土５０〜７０％、イライト１０〜３０％、麦飯石５〜１５％、トルマリン５〜１５％で構成でき、好ましくは、黄土６０％、イライト２０％、麦飯石１０％、トルマリン１０％が含有された土であり、このように微生物電池の土を遠赤外線放射物質で構成する場合、微生物の微細電磁場の効果に加えて遠赤外線効果が付加されて相乗作用を期待することができる。
【０１０５】
２．電極
イオン化傾向の異なる金属電極を準備する。アルミニウム板と銅板を選択する場合、アルミニウム板は（−）電極になり、銅板は（＋）電極になる。
【０１０６】
３．容器
上記の項目１．と２．のものを入れるプラスチック容器を準備する。
（＋）極容器と（−）極容器を別々に準備し、容器を覆う蓋に空気孔（例えば、４個）を穿孔する。
【０１０７】
４．微生物電池の組み立て
（＋）電極と（−）電極をそれぞれの容器に入れ、項目１．の土ペーストで容器を充填する。
【０１０８】
麻で作った円筒形の棒を空気孔の位置に植え込み、土ペースト中の微生物が呼吸し得るようにした後、（＋）極容器と（−）極容器とを電線で連結して、（−）極から発生した電子が（＋）極へ流れることができるようにする。
【０１０９】
図６および図７は本発明の一実施例に係る微生物コンデンサの構成を示すものである。２枚の金属板同士の間に水分の除去された土壌微生物土ペーストを充填して誘電体として用いて微生物コンデンサ２０４を製造する。微生物コンデンサ２０４は、電荷を蓄積し、直流電流を遮断し、交流電流を通過させるので、交流電源を用いてバイオフィールドを作ることができる。
【０１１０】
土壌微生物土ペーストの組成は、微生物電池１０３に使用されたそれと同様である。ただし、水分を１０％以下に乾燥して使用するようにする。
【０１１１】
前述した構成を持つ土壌微生物を用いたバイオフィールド発生装置１は、任意の装置、例えば、生ごみ処理装置、畜糞肥料製造装置、食品保存装置、植物生育促進装置などに適用されてバイオフィールドを形成することにより、土壌微生物が持っている特性を示す。
【０１１２】
図８は本発明の一実施例に係る土壌微生物を用いたバイオフィールド発生装置の適用例を示す図であって、生ごみ処理装置に適用されて生ごみを発酵させる例を示す。
【０１１３】
図８を参照すると、本実施例に係る生ごみ発酵装置５００は、生ごみが収容される生ごみ処理槽５１０と、前記生ごみ処理槽５１０と電気的に接続される第１バイオフィールド発生装置５２０とを含む。
【０１１４】
ここで、第１バイオフィールド発生装置５２０は、生ごみ処理槽５１０内に設置されるか、或いは第１バイオフィールド発生装置５２０の出力端子が生ごみ処理槽５１０と電気的に接続できる。
【０１１５】
生ごみ処理槽５１０は、ほとんどが鉄筋コンクリートで作られており、鉄筋は、電気伝導度が高いため、バイオフィールドを伝達する自由電子が容易に流れることができる。鉄骨構造がコンクリート全体を連結しており、第１バイオフィールド発生装置５２０の出力端子と鉄筋コンクリートとを電気的に接触させると、生ごみ処理槽５１０全体にバイオフィールドが充満することになる。
【０１１６】
そして、このバイオフィールドは、量子の特性を持っており、非常に容易にコンクリート壁を貫通してその効果を生ごみに伝達し、この乳酸菌活性情報の入った量子エネルギー場は生ごみ処理槽５１０内の内容物を発酵させる。
【０１１７】
バイオフィールドが量子の特性を持つ理由は、バイオフィールドが、ＤＮＡのバイオフォトンに起因して発生したエネルギー場であるためである。
【０１１８】
飲食物が腐敗するときに炭水化物、タンパク質、脂肪などが分解されてアンモニア、メチルメルカプタン、硫化水素、トリメチルアミンなどの悪臭を発散するが、本実施例のようにバイオフィールド発生装置５２０を適用すると、生ごみ処理槽５１０に含まれた飲食物の乳酸菌発酵を活性化させて、腐敗することなく発酵が起こるようにして悪臭問題を解決することができる。
【０１１９】
図９はバイオフィールドによる処理前後の飲食物腐敗試験の結果を示すものであって、バイオフィールドで処理された水と生ごみを瓶に入れ、処理されていない水と生ごみを瓶に入れて３ヶ月間の変化を観察した結果である。
【０１２０】
図９の（ａ）はバイオフィールドで処理されていない試料であって、黒く腐敗し、悪臭が酷かった。これに比べて、図９の（ｂ）はバイオフィールドで処理された試料であって、乳酸菌発酵が起こって白膜が形成され、お酒のにおいがした。すなわち、微生物電池に使用された土壌微生物ラクトバチルス（Ｌａｔｏｂａｃｉｌｌｕｓ）の効果と解釈される。
【０１２１】
図１０は本発明の他の実施例に係る土壌微生物を用いたバイオフィールド発生装置１の適用例を示す図であって、畜糞肥料化装置に適用されて畜糞を肥料として製造する過程で発生する臭いを低減させ、腐熟度を高める例を示す。
【０１２２】
図１０を参照すると、本実施例に係る畜糞肥料化装置７００は、畜糞が溜まる畜糞発酵槽７１０と、前記畜糞発酵槽７１０と電気的に接続される第２バイオフィールド発生装置７２０とを含む。ここで、第２バイオフィールド発生装置７２０は、畜糞発酵槽７１０内に設置されるか、或いは第２バイオフィールド発生装置７２０の出力端子が畜糞発酵槽７１０と電気的に接続できる。
【０１２３】
畜糞発酵槽７１０は、ほとんど鉄筋コンクリートで作られており、鉄筋は、電気伝導度が高いため、バイオフィールドを伝達する自由電子が容易に流れることができる。鉄骨構造は、コンクリート全体を連結しており、第２バイオフィールド発生装置７２０の出力端子と鉄筋コンクリートを電気的に接触させると畜糞発酵槽７１０全体にバイオフィールドが充満することになる。
【０１２４】
このように第２バイオフィールド発生装置７２０を畜糞発酵槽７１０と電気的に接続させて畜糞発酵槽７１０内にバイオフィールドを提供することにより、畜糞発酵槽７１０の内部に蓄積された畜糞から発生するアンモニアを尿素に合成する化学反応でバイオフィールドが触媒作用をして、臭いは減少し且つ肥料の効果は高まったと解釈される。
【０１２５】
図１１は本発明の一実施例に係るバイオフィールド発生装置が設置された畜糞攪拌室（発酵槽）の実物写真であり、図１２は堆肥腐熟試験結果を示すものである。図９を参照すると、バイオフィールドを適用していない工場で生産された畜糞肥料は、アンモニア濃度が３２ｐｐｍであるのに対し、バイオフィールド発生装置の設置後から１ヶ月が経過した製品では、４ｐｐｍのアンモニアが検出された。この結果から、悪臭問題が解消され、生産性が２倍に増加したことが分かる。それだけでなく、年間８０万袋の畜糞肥料を農家に供給したが、栽培作物の発芽率が向上したうえ、唐辛子、トマト、ツルニンジン、白菜、トウモロコシなどの収穫が増加したことを事例から確認することができた。
【０１２６】
図１３および図１４は、本発明の一実施例に係るバイオフィールド発生装置を適用した対象物と適用していない対象物との状態を比較した実験結果を示す。
【０１２７】
図１３は、バイオフィールドで処理された水と処理されていない水で玉ねぎを水耕栽培して１週経過後の状態を示すものであって、バイオフィールドで処理された水で育った玉ねぎ（図１３の（ｂ））は、バイオフィールドで処理されていない水で育った玉ねぎ（図１３の（ａ））に比べて２倍程度成長が促進されることを確認することができる。これは、バイオフィールド生成装置に使用された土壌微生物のうち光合成細菌（ｐｈｏｔｏｓｙｎｔｈｅｔｉｃ  ｂａｃｔｅｒｉａ）の光合成促進効果であると解釈される。
【０１２８】
図１４はバイオフィールドで処理された豆腐と処理されていない豆腐とを比較して示す図であって、図１４の（ｂ）はバイオフィールド発生装置が備えられた食品保存装置（冷蔵庫）内に３０日間保管された豆腐であり、図１４の（ａ）はバイオフィールド発生装置が備えられていない一般冷蔵庫に３０日間保管された豆腐である。
【０１２９】
図１４に示すように、バイオフィールドで処理された豆腐（図１１の（ｂ））は１０日経過後も豆腐の状態が良好であるが、これに対し、バイオフィールドで処理されていない豆腐（図１４の（ａ））は既に腐敗が多く進行したことを確認することができる。
【０１３０】
一方、本発明の詳細な説明および添付図面では具体的な実施例について説明したが、本発明は、開示された実施例に限定されず、本発明の属する技術分野における通常の知識を有する者であれば、本発明の技術的思想を逸脱しない範囲内で、様々な置換、変形および変更が可能である。例えば、本発明に係る土壌微生物を用いたバイオフィールド発生装置は、生ごみ発酵装置、畜糞肥料化装置だけでなく、農・水産副産物、屠殺工場副産物、食品工場副産物などの有機性廃棄物の堆肥化過程にも適用可能である。
【０１３１】
したがって、本発明の範囲は、説明された実施例に限定されて定められてはならず、後述する特許請求の範囲だけでなく、この特許請求の範囲と均等なものも含むと解釈されるべきである。
【産業上の利用可能性】
【０１３２】
本発明に係る土壌微生物を用いた生ごみ発酵装置によれば、飲食物の乳酸菌発酵を活性化させて、腐敗することなく発酵が起こるようにするので、悪臭問題を解決することができる。
【０１３３】
また、本発明に係る土壌微生物を用いた畜糞肥料化装置によれば、畜糞から発生するアンモニアを尿素に合成する化学反応においてバイオフィールドが触媒作用をして、畜糞による悪臭は減少し且つ肥料の効果は高まるという効果を得ることができる。
【図１】
2018513017.tif 000003
【図２】
2018513017.tif 000004
【図３】
2018513017.tif 000005
【図４】
2018513017.tif 000006
【図５】
2018513017.tif 000007
【図６】
2018513017.tif 000008
【図７】
2018513017.tif 000009
【図８】
2018513017.tif 000010
【図９】
2018513017.tif 000011
【図１０】
2018513017.tif 000012
【図１１】
2018513017.tif 000013
【図１２】
2018513017.tif 000014
【図１３】
2018513017.tif 000015
【図１４】
2018513017.tif 000016
【国際調査報告】
2018513017.tif 000017
2018513017.tif 000018
2018513017.tif 000019
2018513017.tif 000020
2018513017.tif 000021
2018513017.tif 000022